(57)【要約】【課題】時計の装飾等に利用される優れた駆動装置を提供すること。【解決手段】モータ２００と、互いに重ねて配置された複数のプレート体３００ａ，３００ｂ，３００ｃとを備え、モータの駆動により複数のプレート体をそれぞれ正逆回転する駆動装置であり、プレート体には、当該プレート体を回転可能に支持するシャフト３１０と、他のプレート体を回転可能に支持するシャフトを挿通する挿通部３３０とを設け、更に当該プレート体及びその外部の一方にはガイド部３２０を設けるとともに、当該プレート体及びその外部の他方にはそのガイド部と係合するプーリ４１０を設けた構成の駆動装置である。またプレート体の重心Ｇ１＋２は、当該プレート体の回転に伴い当該プレート体のシャフト中心（つまり回転軸）と交わる鉛直線Ｌを通過することがないように設定した。【選択図】　　　　図３
2004028972.tif 000002
【特許請求の範囲】
【請求項１】
モータと、互いに重ねて配置された複数のプレート体とを備え、前記モータの駆動により前記複数のプレート体をそれぞれ正逆回転する駆動装置であり、
前記プレート体には、当該プレート体を回転可能に支持するシャフトと、他の前記プレート体を回転可能に支持するシャフトを挿通する挿通部とを設け、
更に当該プレート体及びその外部の一方にはガイド部を設けるとともに、当該プレート体及びその外部の他方には前記ガイド部と係合するプーリを設けたことを特徴とする駆動装置。
【請求項２】
前記プレート体には前記ガイド部を設けるとともに、前記ガイド部は前記挿通部の縁であることを特徴とする請求項１記載の駆動装置。
【請求項３】
前記プレート体及びその外部の他方には第２ガイド部を設けるとともに、当該プレート体及びその外部の一方には前記第２ガイド部と係合する第２プーリを設けたことを特徴とする請求項１又は２記載の駆動装置。
【請求項４】
前記プレート体の外部には、当該プレート体と当接してその停止位置を規制する停止位置規制手段を設けたことを特徴とする請求項１乃至３のいずれか記載の駆動装置。
【請求項５】
前記停止位置規制手段は、前記プレート体を保持する他のプーリであることを特徴とする請求項４記載の駆動装置。
【請求項６】
前記停止位置規制手段に当接して停止した前記プレート体を前記停止位置規制手段側に付勢する付勢手段を設けたことを特徴とする請求項４又は５記載の駆動装置。
【請求項７】
前記プレート体に設けられた溝部と、前記溝部と係合するとともに前記モータの駆動に伴い回転する駆動ピンと、当該プレート体のシャフトに装着されたコイルばねとを備え、
前記付勢手段は、前記プレート体及び前記駆動ピンの間に前記コイルばねを挟んでなり、
前記プレート体は、前記停止位置規制手段に当接するとともに、前記駆動ピンが前記溝部を移動しつつ前記弾性体を弾性変形することにより、前記停止位置規制手段側に付勢されることを特徴とする請求項６記載の駆動装置。
【請求項８】
前記プレート体の位置に応じて切換わるスイッチ手段を設け、前記スイッチ手段に応じて前記モータを制御することを特徴とする請求項１乃至７のいずれか記載の駆動装置。
【請求項９】
当該駆動装置の輸送時等に前記複数のプレート体を所定の位置で固定するロック手段を設けたことを特徴とする請求項１乃至８のいずれか記載の駆動装置。
【請求項１０】
前記プレート体の重心が、当該プレート体の回転に伴い当該プレート体のシャフト中心と交わる鉛直線を通過することがないように設定してなることを特徴とする請求項１乃至９のいずれか記載の駆動装置。
【請求項１１】
モータとプレート体とを備え、前記モータの駆動により前記プレート体を正逆回転する駆動装置であり、
前記プレート体の重心が、当該プレート体の回転に伴い当該プレート体の回転軸と交わる鉛直線を通過することがないように設定してなることを特徴とする駆動装置。
【請求項１２】
請求項１乃至１１のいずれか記載の駆動装置を備えたことを特徴とする時計。
【請求項１３】
前記複数のプレート体は、文字板の裏側から迫り出すことを特徴とする請求項１２記載の時計。
【発明の詳細な説明】
【０００１】
【発明の属する技術分野】
本発明は、モータの駆動によりプレート体を正逆回転する駆動装置に関し、時計の装飾等に利用されるものである。
【０００２】
【従来の技術】
壁掛け時計や置き時計は、装飾性に優れたものが好まれる傾向にあり、この種の時計としては、飾りとなるプレート体を定常的に又は所定のタイミングでモータ駆動する駆動装置を備えたものがある。例えば、駆動装置を備えた時計は、予定時刻になると報知音を発生するとともに、その駆動装置を駆動する構成となっている。
【０００３】
【発明が解決しようとする課題】
さて、本願発明者は、より面白い装飾時計を得るべく、文字板の裏側から複数のプレート体が迫り出す駆動装置を発案した。つまり複数のプレート体は、互いに重ねて文字板の裏側に配置するとともに、文字板の中心に対して偏心した複数のシャフトにそれぞれ回転可能に支持し、モータの駆動により正逆回転する訳である。ここで考慮すべき点は、各プレート体と各シャフトとの干渉を合理的に回避することである。またプレート体は、回転に伴いその重心が移動するものとなるため、プレート体の動きについても、その安定性を十分に確保する構成が重要となる。
【０００４】
本発明は、かかる事情に鑑みてなされたものであり、その目的は、より優れた駆動装置を提供することである。
【０００５】
【課題を解決するための手段】
本願第１請求項に記載した発明は、モータと、互いに重ねて配置された複数のプレート体とを備え、前記モータの駆動により前記複数のプレート体をそれぞれ正逆回転する駆動装置であり、前記プレート体には、当該プレート体を回転可能に支持するシャフトと、他の前記プレート体を回転可能に支持するシャフトを挿通する挿通部とを設け、更に当該プレート体及びその外部の一方にはガイド部を設けるとともに、当該プレート体及びその外部の他方には前記ガイド部と係合するプーリを設けた構成の駆動装置である。このような構成によると、優れた駆動装置が得られる。
【０００６】
すなわち本発明の駆動装置は、互いに重ねて配置された複数のプレート体がそれぞれ正逆回転するという面白い動きが得られるものである。各プレート体と各シャフトとの干渉は、プレート体の挿通部に他のプレート体を支持するシャフトを挿通することによって回避される。また、プレート体及びその外部の一方に設けたガイド部と、それらの他方に設けたプーリとを係合することによれば、プレート体の回転動作が確実に安定化され、より優雅で美しい動きを得ることが可能となる。
【０００７】
本願第２請求項に記載した発明は、請求項１において、前記プレート体には前記ガイド部を設けるとともに、前記ガイド部は前記挿通部の縁である構成の駆動装置である。このような構成によると、一層優れた駆動装置が得られる。
【０００８】
すなわちガイド部は、挿通部の縁を形成して設けることが可能であり、このように挿通部とガイド部とを一体化すれば、プレート体の簡素化が達成され、プレート体が容易に製造され得るという利点がある。
【０００９】
本願第３請求項に記載した発明は、請求項１又は２において、前記プレート体及びその外部の他方には第２ガイド部を設けるとともに、当該プレート体及びその外部の一方には前記第２ガイド部と係合する第２プーリを設けた構成の駆動装置である。このような構成によると、一層優れた駆動装置が得られる。
【００１０】
すなわち、プレート体及びその外部の一方に設けたガイド部並びに第２プーリと、それらの他方に設けたプーリ及び第２ガイド部とをそれぞれ係合することによれば、プレート体の回転動作はより確実に安定化される。
【００１１】
本願第４請求項に記載した発明は、請求項１乃至３のいずれかにおいて、前記プレート体の外部には、当該プレート体と当接してその停止位置を規制する停止位置規制手段を設けた構成の駆動装置である。このような構成によると、一層優れた駆動装置が得られる。
【００１２】
すなわち、プレート体を停止位置規制手段に当接して停止することによれば、その停止位置が正確に設定されるとともに、停止位置におけるプレート体の支持が確実に安定化するという利点がある。
【００１３】
本願第５請求項に記載した発明は、請求項４において、前記停止位置規制手段は、前記プレート体を保持する他のプーリである構成の駆動装置である。このような構成によると、一層優れた駆動装置が得られる。
【００１４】
すなわち、停止位置規制手段たる他のプーリがプレート体を保持することによれば、プレート体のラジアル方向及びスラスト方向の動きが効率よく抑制され、停止位置におけるプレート体の支持は一層安定化する。
【００１５】
本願第６請求項に記載した発明は、請求項４又は５において、前記停止位置規制手段に当接して停止した前記プレート体を前記停止位置規制手段側に付勢する付勢手段を設けた構成の駆動装置である。このような構成によると、一層優れた駆動装置が得られる。
【００１６】
すなわち、停止位置規制手段に当接したプレート体は、モータを停止すると、自重等の影響で不要に回転し、停止位置規制手段から離れてしまう場合が考えられる。この点本発明によれば、付勢手段がプレート体を停止位置規制手段側に付勢するので、停止位置におけるプレート体の支持がより安定化され、そのような不都合は回避される。
【００１７】
本願第７請求項に記載した発明は、請求項６において、前記プレート体に設けられた溝部と、前記溝部と係合するとともに前記モータの駆動に伴い回転する駆動ピンと、当該プレート体のシャフトに装着されたコイルばねとを備え、前記付勢手段は、前記プレート体及び前記駆動ピンの間に前記コイルばねを挟んでなり、前記プレート体は、前記停止位置規制手段に当接するとともに、前記駆動ピンが前記溝部を移動しつつ前記弾性体を弾性変形することにより、前記停止位置規制手段側に付勢される構成の駆動装置である。このような構成によると、一層優れた駆動装置が得られる。
【００１８】
すなわち本発明においては、プレート体は、弾性体たるコイルばねを介して駆動ピンに押されつつ回転し、モータは、プレート体が停止位置規制手段に当接した直後からある程度オーバーランをしたところで停止される。モータがオーバーランをする際は、駆動ピンは溝部の内部を移動し、コイルばねには弾性力が蓄積される。そして、コイルばねに蓄積された弾性力は、プレート体を停止位置規制手段側に付勢する付勢力となる。このようにコイルばねを利用することによれば、付勢手段は合理的に構成される。
【００１９】
本願第８請求項に記載した発明は、請求項１乃至７のいずれかにおいて、前記プレート体の位置に応じて切換わるスイッチ手段を設け、前記スイッチ手段に応じて前記モータを制御する構成の駆動装置である。このような構成によると、一層優れた駆動装置が得られる。
【００２０】
すなわち、かかるスイッチ手段によれば、プレート体の位置に応じてモータを効率よく制御することが可能となる。
【００２１】
本願第９請求項に記載した発明は、請求項１乃至８のいずれかにおいて、当該駆動装置の輸送時等に前記複数のプレート体を所定の位置で固定するロック手段を設けた構成の駆動装置である。このような構成によると、一層優れた駆動装置が得られる。
【００２２】
すなわちロック手段によれば、駆動装置を運ぶ際の傾きや振動による装置への悪影響を確実に低減することが可能であり、延いては装置の故障や破損等のトラブルを未然に防止することが可能となる。
【００２３】
本願第１０請求項に記載した発明は、請求項１乃至９のいずれかにおいて、前記プレート体の重心が、当該プレート体の回転に伴い当該プレート体のシャフト中心と交わる鉛直線を通過することがないように設定してなる構成の駆動装置である。このような構成によると、一層優れた駆動装置が得られる。
【００２４】
すなわち、プレート体の重心がシャフト中心と交わる鉛直線を通過する場合は、その瞬間にプレート体の重心が上昇から下降又は下降から上昇に転じる故に、プレート体の動きには、バックラッシ等の影響で微妙なむらが発生する虞がある。この点本発明によれば、プレート体は、その重心がかかる鉛直線を通過しない範囲で正逆回転するので、そのような不都合は確実に回避される。尚、必要に応じてプレート体の要所に適宜重量の錘を設ければ、プレート体の重心位置は任意に設定することが可能である。
【００２５】
本願第１１請求項に記載した発明は、モータとプレート体とを備え、前記モータの駆動により前記プレート体を正逆回転する駆動装置であり、前記プレート体の重心が、当該プレート体の回転に伴い当該プレート体の回転軸と交わる鉛直線を通過することがないように設定してなる構成の駆動装置である。
【００２６】
すなわち、プレート体の重心がプレート体の回転軸と交わる鉛直線を通過する場合は、その瞬間にプレート体の重心が上昇から下降又は下降から上昇に転じる故に、プレート体の動きには、バックラッシ等の影響で微妙なむらが発生する虞がある。この点本発明によれば、プレート体は、その重心がかかる鉛直線を通過しない範囲で正逆回転するので、そのような不都合は確実に回避される。尚、必要に応じてプレート体の要所に適宜重量の錘を設ければ、プレート体の重心位置は任意に設定することが可能である。
【００２７】
本願第１２請求項に記載した発明は、請求項１乃至１１のいずれか記載の駆動装置を備えた構成の時計である。
【００２８】
すなわちかかる駆動装置は、時計を装飾するものとして、極めて好適に利用することが可能である。
【００２９】
本願第１３請求項に記載した発明は、請求項１２において、前記複数のプレート体は、文字板の裏側から迫り出す構成の駆動装置である。
【００３０】
すなわちかかる駆動装置によれば、複数のプレート体が文字板の裏側から迫り出すという面白い動きを得ることが可能である。
【発明の実施の形態】
以下に、本発明の具体例を図面に基づいて詳細に説明する。図１乃至図３に示す本例の壁掛け時計１は、予め設定された予定時刻になると、メロディ等の報知音を発生するとともに、駆動装置１００が駆動して、文字板３０の裏側にほぼ隠れた状態の第１プレート体３００ａ、第２プレート体３００ｂ、及び第３プレート体３００ｃ（図１参照）がそれぞれ所定の方向に迫り出す構成となっている（図２参照）。文字板３０及び駆動装置１００は、時計ケース２０の内部に配置されており、文字板３０及び各プレート体３００ａ，３００ｂ，３００ｃは、時計ケース２０の正面に装着されたガラス製又はアクリル樹脂製の透明板２１を通して目視される。また、文字板３０裏側の所定の部位には、指針４１を駆動するムーブメント４０が配置されている。
【００３１】
本例の駆動装置１００は、モータ２００と、互いに重ねて配置された第１プレート体３００ａ、第２プレート体３００ｂ、及び第３プレート体３００ｃとを備え、モータ２００の駆動により、これらの複数のプレート体３００ａ，３００ｂ，３００ｃをそれぞれ正逆回転する構成となっている。プレート体３００ａ，３００ｂ，３００ｃの並びは、文字板３０側から順に、第１プレート体３００ａ、第２プレート体３００ｂ、第３プレート体３００ｃとなっている。また、各プレート体３００ａ，３００ｂ，３００ｃは、所定の輪列２１０を介してモータ２００に従動する構成となっており、各プレート体３００ａ，３００ｂ，３００ｃの回転方向は、モータ２００の回転を逆転することによって反転される。尚、モータ２００及び輪列２１０のレイアウトは、適宜に設計変更が可能である。例えば図４に示すように、モータ２００の位置について工夫を施すことによれば、時計ケース２０をある程度薄型化することも可能である。
【００３２】
また、ほこりによる目詰まりや歯車の微妙な位置ずれ等、何らかの影響でこうした駆動機構に過大な負荷がかかる場合を想定すると、モータ２００と各プレート体３００ａ，３００ｂ，３００ｃとの間には、過大な負荷を逃がすためのスリップ機構を設け、その際はモータ２００が空転するように構成するとよい。スリップ機構は、例えばモータ２００の出力軸に設けられる。
【００３３】
更に、各プレート体３００ａ，３００ｂ，３００ｃの外部には、複数の支持板４００ａ，４００ｂ，４００ｃを設けている。具体的には、第１プレート体３００ａの正面には第１支持板４００ａを設け、第２プレート体３００ｂの正面には第２支持板４００ｂを設け、第３プレート体３００ｃの背面には第３支持板４００ｃを設けている。第１支持板４００ａ、第２支持板４００ｂ、及び第３支持板４００ｃは、それらの適宜部位にボス４０１をねじ止めすることによって所定の間隔に組み立てられるとともに、第１支持板４００ａ及び第３支持板４００ｃを時計ケース２０にねじ止めして固定されている。
【００３４】
尚、図中の５００は、第１プレート体３００ａ、第２プレート体３００ｂ、第３プレート体３００ｃ、第１支持板４００ａ、第２支持板４００ｂ、及び第３支持板４００ｃに挿通されるロッドである。各プレート体３００ａ，３００ｂ，３００ｃ及び各支持板４００ａ，４００ｂ，４００ｃの要所には、ロッド５００を挿通する孔部が設けられている。しかるにロッド５００は、かかる駆動装置１００を備えた壁掛け時計１の輸送時等に、複数のプレート体３００ａ，３００ｂ，３００ｃを所定の位置で固定するロック手段である。このようなロック手段によれば、輸送時の傾きや振動による装置への悪影響を確実に低減することができる。駆動装置１００は、ロッド５００を抜いた後に駆動される。
【００３５】
本例の場合、各プレート体３００ａ，３００ｂ，３００ｃは、同型の部材からなるものであり、指針４１の回転軸を中心に１２０度の間隔で配置されている。そして、第２プレート体３００ｂ及び第２支持板４００ｂの構成と、第３プレート体３００ｃ及び第３支持板４００ｃの構成とは、以下に説明する第１プレート体３００ａ及び第１支持板４００ａの構成と共通することから、それらの説明は省略する。
【００３６】
図５及び図６に示すように、第１プレート体３００ａには、第１プレート体３００ａを回転可能に支持するシャフト３１０と、このシャフト３１０を中心とする円弧を呈した第１ガイド部３２０と、第２プレート体３００ｂ及び第３プレート体３００ｃをそれぞれ回転可能に支持する各シャフト（図示はせず）を挿通する挿通部３３０が設けられている。挿通部３３０は、所定の形状を呈する孔であり、第１ガイド部３２０は、挿通部３３０の縁を円弧状に形成して設けられている。
【００３７】
尚、各プレート体３００ａ，３００ｂ，３００ｃをそれぞれ回転可能に支持する複数のシャフトは、文字板３０の中心、つまり指針４１の回転軸を中心に１２０度の間隔で配置さており、それらの両端は、それぞれ第１支持板４００ａ及び第３支持板４００ｃに支持されている。また挿通部３３０には、各支持板４００ａ，４００ｂ，４００ｃの適宜部位に設けられたボス４０１も挿通されている。
【００３８】
一方、第１プレート体３００ａの外部である第１支持板４００ａには、第１ガイド部３２０と係合する第１プーリ４１０と、第１プレート体３００ａと当接してその停止位置を規制する一対の停止位置規制手段４２０とが設けられている。本例の停止位置規制手段４２０は、第１プーリ４１０と同型の部材からなる鍔付きプーリであり、これが第１プレート体３００ａを保持することによれば、第１プレート体３００ａのラジアル方向及びスラスト方向の動きは効率よく抑制される。
【００３９】
尚、図７に示すように、第１プレート体３００ａの第１ガイド部３２０と係合する第１プーリ４１０は、第２プレート体３００ｂ及び第３プレート体３００ｃの停止位置規制手段４２０と共通の回転軸を有する構成となっている。つまり、第１プレート体３００ａ、第２プレート体３００ｂ、及び第３プレート体３００ｃに対してそれぞれ設けられた各第１プーリ４１０及び停止位置規制手段４２０の回転軸は、指針４１の回転軸を中心に１２０度の間隔で設けられている。
【００４０】
第１プレート体３００ａは、通常は一方の停止位置規制手段４２０に当接するとともに文字板３０の裏側に隠れている（図５参照）。そして、予定時間になるとモータ２００の駆動によりシャフト３１０を中心に回転し、他方の停止位置規制手段４２０に当接したところで一旦停止する（図６参照）。第１プレート体３００ａの回転方向は、第１プレート体３００ａが他方の停止位置規制手段４２０に当接したところで反転し、第１プレート体３００ａは、再び一方の停止位置規制手段４２０に当接して文字板３０の裏側に隠れる。第１プレート体３００ａの回転動作は、第１ガイド部３２０と第１プーリ４１０とが常に係合することにより、非常に安定したものとなっている。
【００４１】
更に本例においては、第１支持板４００ａにはシャフト３１０を中心とする円弧を呈した第２ガイド部４３０を設けるとともに、第１プレート体３００ａには第２ガイド部４３０と係合する第２プーリ３４０を設けている。このような構成によれば、第１プレート体３００ａの回転動作は、一層の安定化することができる。
【００４２】
尚、第１プレート体３００ａの動きについて、その安定性を十分に確保できる場合は、第１ガイド部３２０及び第１プーリ４１０と、第２ガイド部４３０及び第２プーリ３４０とのいずれか一組は省略することも可能である。
【００４３】
また本例の場合、停止位置規制手段４２０に当接して停止した第１プレート体３００ａは、付勢手段によって停止位置規制手段４２０側に付勢される構成となっている。
【００４４】
つまり本例の駆動装置１００は、図８乃至図１０に示すように、第１プレート体３００ａに設けられた溝部３０２と、溝部３０２と係合するとともにモータ２００の駆動に伴い回転する駆動ピン２１１と、第１プレート体３００ａのシャフト３１０に装着された弾性体たるコイルばね６００とを備えている。そして、前述した付勢手段は、第１プレート体３００ａ及び駆動ピン２１１の間にコイルばね６００を挟んでなり、第１プレート体３００ａは、停止位置規制手段４２０に当接するとともに、駆動ピン２１１が溝部３０２を移動しつつコイルばね６００を弾性変形することにより、停止位置規制手段４２０側に付勢される構成となっている。駆動ピン２１１は、輪列２１０の最後尾の歯車に設けられており、第１プレート体３００ａの要所には、コイルばね６００を支える固定ピン３０１が設けられている。コイルばね６００は、その両端部が駆動ピン２１１及び固定ピン３０１とそれぞれ当接するとともに、それらの間に挟まれた状態となっている。
【００４５】
このような構成によると、第１プレート体３００ａは、文字板３０から迫り出す際は、溝部３０２の端を駆動ピン２１１に直接押されて回転する。一方、文字板３０の裏側に隠れる際は、コイルばね６００を介して駆動ピン２１１に押されつつ回転し、モータ２００は、第１プレート体３００ａが停止位置規制手段４２０に当接した直後からある程度オーバーランをしたところで停止される。モータ２００がオーバーランをする際は、駆動ピン２１１は溝部３０２の内部を移動し、コイルばね６００には弾性力が蓄積される（図１０参照）。そして、コイルばね６００に蓄積された弾性力は、第１プレート体３００ａを停止位置規制手段４２０側に付勢する付勢力となる。ついては、第１プレート体３００ａが自重等により停止位置規制手段４２０から離れようとする動きは、コイルばね６００の弾性力にて抑制される。
【００４６】
更に図１１及び図１２に示すように、とりわけ第３プレート体３００ｃ及び第３支持板４００ｃには、第３プレート体３００ｃの位置に応じて切換わるスイッチ手段７００を設けており、モータ２００は、このスイッチ手段７００に応じて制御される。図例したスイッチ手段７００は、第３プレート３００ｃ及び第３支持板４００ｃの一方に設けられたマイクロスイッチのレバーがそれらの他方に設けられたリブに応じて操作されるものである。また、マイクロスイッチ及びレバーはそれぞれ複数設けられており、第３プレート体３００ｃの位置は、複数のマイクロスイッチのＯＮ／ＯＦＦパターンにより検出可能となっている。そして本例のモータ２００は、スイッチ手段７００を利用してマイコン制御されており、予定時刻が到来すると、第３プレート体３００ｃが複数回往復して停止するように制御されている。第１プレート体３００ａ及び第２プレート体３００ｂは、第３プレート体３００ｃと同じタイミングで動作する。このような構成によると、モータ２００を効率よく制御することができる。
【００４７】
尚、時計１の電源が投入された初期の状態において、各プレート体３００ａ，３００ｂ，３００ｃが文字板３０の裏側から既に迫り出した位置にある場合は、スイッチ手段７００がこれを検出してモータ２００が駆動することにより、各プレート体３００ａ，３００ｂ，３００ｃは文字板３０の裏側の停止位置へ移動される。
【００４８】
また、これらの図１１及び図１２図に示すように、第３プレート体３００ｃの要所には錘８００を設けている。そして、この錘８００を含めた第３プレート体３００ｃの重心Ｇ１＋２は、第３プレート体３００ｃの回転に伴いそのシャフト３１０の中心（つまり回転軸）と交わる鉛直線Ｌを通過することがないように設定している。
【００４９】
特に第３プレート体３００ｃの場合は、その構成部材の重心Ｇ１が直線Ｌを通過してしまうこととなるが、本例によれば、構成部材の重心Ｇ１に錘の重心Ｇ２を加えることにより、両者を合わせた全体の重心Ｇ１＋２が鉛直線Ｌを通過しないように設定している。このような構成によれば、バックラッシ等の影響により第３プレート体３００ｃの動きに微妙なむらが発生する事態を回避することができる。
【００５０】
このように本例は、斬新で非常に面白い動きが得られる駆動装置であり、時計を装飾するものとして、極めて好適に利用することができる。勿論、本例の駆動装置の構成は、時計以外の装置（例えば看板やショーウィンドウのディスプレイ等）にも応用することが可能である。
【００５１】
尚、本例の駆動装置は、所定の時間になると複数のプレート体が文字板の裏側から迫り出した後に再び文字板の裏側に隠れるものであるが、或いは、所定の時間になると複数のプレート体が文字板の裏側に隠れた後に迫り出すように構成することも可能である。この場合は、文字板の正面から観てプレート体の奥に装飾物を配置し、所定の時間になるとその装飾物が露呈されるように構成するとよい。
【００５２】
【発明の効果】
以上説明したように、本発明の構成によれば、時計の装飾等に利用される優れた駆動装置を得ることができる。
【図面の簡単な説明】
【図１】本発明の具体例に係り、時計を示す正面図である。
【図２】本発明の具体例に係り、時計を示す正面図である。
【図３】本発明の具体例に係り、時計の側面を示す透視断面図である。
【図４】本発明の具体例に係り、時計の側面を示す透視断面図である。
【図５】本発明の具体例に係り、第１プレート体の説明図である。
【図６】本発明の具体例に係り、第１プレート体の説明図である。
【図７】本発明の具体例に係り、第１プーリ及び停止位置規制手段の説明図である。
【図８】本発明の具体例に係り、駆動装置の要部側面を示す説明図である。
【図９】本発明の具体例に係り、駆動装置の要部正面を示す説明図である。
【図１０】本発明の具体例に係り、駆動装置の要部正面を示す説明図である。
【図１１】本発明の具体例に係り、第３プレート体の説明図である。
【図１２】本発明の具体例に係り、第３プレート体の説明図である。
【符号の説明】
１　　　壁掛け時計
２０　　　時計ケース
２１　　　透明板
３０　　　文字板
４０　　　ムーブメント
４１　　　指針
１００　　　駆動装置
２００　　　モータ
２１０　　　輪列
２１１　　　駆動ピン
３００ａ　　　第１プレート体
３００ｂ　　　第２プレート体
３００ｃ　　　第３プレート体
３０１　　　固定ピン
３０２　　　溝部
３１０　　　シャフト
３２０　　　第１ガイド部
３３０　　　挿通部
３４０　　　第２プーリ
４００ａ　　　第１支持板
４００ｂ　　　第２支持板
４００ｃ　　　第３支持板
４０１　　　ボス
４１０　　　第１プーリ
４２０　　　停止位置規制手段
４３０　　　第２ガイド部
５００　　　ロッド
６００　　　コイルばね
７００　　　スイッチ手段
８００　　　錘
【図１】
2004028972.tif 000003
【図２】
2004028972.tif 000004
【図３】
2004028972.tif 000005
【図４】
2004028972.tif 000006
【図５】
2004028972.tif 000007
【図６】
2004028972.tif 000008
【図７】
2004028972.tif 000009
【図８】
2004028972.tif 000010
【図９】
2004028972.tif 000011
【図１０】
2004028972.tif 000012
【図１１】
2004028972.tif 000013
【図１２】
2004028972.tif 000014